(57)【要約】【課題】  脱水行程時に外部の空気をドラム内に吸入させて洗濯物を乾燥させる洗濯機を提供する。【解決手段】  洗濯物出入口５１が形成された外部ケース５２と；前記外部ケース５２の内部に緩衝可能に支持されたタブ６０と；前記タブ６０の内部に回転可能に配設されたドラム７０と；前記ドラム７０を回転させる駆動モータ８０と、前記外部ケース５２に装着取り付けられて前記洗濯物出入口５１を開閉し、前記ドラム内に外部空気が吸入されるように空気吸入口９２が形成されたドア９０と；を含めて構成することによって、別途の乾燥流路やヒーター無しにも少量の洗濯物を簡便に乾燥させるようにする。【選択図】      図１
2004188205.tif 000002
【特許請求の範囲】
【請求項１】
洗濯物出入口が形成された外部ケースと；
前記外部ケースの内部に緩衝可能に支持されたタブと；
前記タブの内部に回転可能に配設されたドラムと；
前記ドラムを回転させる駆動手段と；
前記外部ケースに取り付けられて前記洗濯物出入口を開閉し、前記ドラム内に外部空気が吸入されるように空気吸入口が形成されたドアと；を含むことを特徴とする洗濯機。
【請求項２】
前記ドアは、前記空気吸入口が複数個形成されたことを特徴とする請求項１に記載の洗濯機。
【請求項３】
前記ドアには前記空気吸入口を開閉する開閉手段が備えられたことを特徴とする請求項１または2に記載の洗濯機。
【請求項４】
前記開閉手段は、前記空気吸入口を遮る遮蔽栓から構成されたことを特徴とする請求項３に記載の洗濯機。
【請求項５】
前記開閉手段は、前記空気吸入口と連通する連通孔が形成され、前記ドアの一側に回転可能に装着される回転板から構成されたことを特徴とする請求項３に記載の洗濯機。
【請求項６】
前記回転板は、前記ドアに係合されるように係止部が設けられたことを特徴とする請求項５に記載の洗濯機。
【請求項７】
前記開閉手段は、前記回転板を回転させる回転駆動手段をさらに含めて構成されたことを特徴とする請求項５に記載の洗濯機。
【請求項８】
前記回転駆動手段は、前記回転板の外周面に形成されたギア歯に噛合って前記回転板を回転させる駆動ギアと、前記駆動ギアを回転させるモータとから構成されたことを特徴とする請求項７に記載の洗濯機。
【請求項９】
前記ドアの空気吸入口に、吸入される空気を加熱するヒーティング手段が設けられたことを特徴とする請求項１に記載の洗濯機。
【発明の詳細な説明】
【技術分野】
【０００１】
本発明は、洗濯機に関し、特に、脱水行程時に外部の空気をドラムの内部に吸入させながら洗濯物を乾燥させる洗濯機に関する。
【背景技術】
【０００２】
洗濯機は、洗剤と水を用い、洗濯、すすぎ、脱水の行程を経てドラム内部に投入された衣類、寝具などについた汚れを洗い落とすための装置である。
図８は、従来技術に係るドラム式洗濯機を示す斜視図であり、図９は、従来の技術に係るドラム式洗濯機の内部構造を示す縦断面図である。
従来の技術に係るドラム式洗濯機は、図８及び図９に示すように、外部ケース２の内部にバネ６やダンパー７によりタブ８が緩衝可能に支持され、前記タブ８の背面側にモータ１４が取り付けられ、前記タブ８の内部にモータ１４の回転軸１５と連結されたドラム２０が回転可能に配設される。
【０００３】
前記ドラム２０は、内部には洗濯物ｍをすくい上げて落下させるように羽根２２が装着され、周面には洗濯水が通過する複数個の孔２４が形成される。
前記外部ケース２とタブ８とドラム２０の前面には洗濯物出入口２ａ、８ａ、２０ａが形成され、前記外部ケース２には前記洗濯物出入口を開閉するドア３０が取り付けられる。
前記ドア３０は、前記ドラム２０の内部を目視できる透明窓３２と、該透明窓３２の外周に形成されるドアフレーム３４とで構成され、前記ドアフレーム３４の一側が前記外部ケース２の洗濯物出入口２ａの一側に開閉可能に連結される。
【０００４】
一方、前記タブ８の上側には洗濯物の洗浄に必要な水または洗剤が供給される給水装置４２が配設される。前記タブ８の下側には前記タブの内部が洗濯機の外部と通じるようにする排水流路４４が設けられ、前記排水流路４４の途中には排水ポンプ４６が設けられる。
参照番号４８は、前記タブ８の洗濯物出入口８ａと外部ケース２の洗濯物出入口２ａとの間に配置されたガスケットである。
【０００５】
次に、上記のように構成された従来のドラム式洗濯機の動作を説明する。
まず、前記ドラム２０の内部に洗濯物ｍを投入し前記ドア３０を閉じた後、洗濯機を駆動させると、前記タブ８の内側下部には前記給水装置４２から供給される水と洗剤が溜まり、この水と洗剤に前記ドラム２０が浸りながら前記ドラム２０内の洗濯物も洗剤の溶解された水に浸かることになる。
その後、前記モータ１４が駆動されて前記ドラム２０が回転すると、前記ドラム２０内に受容された洗濯物は前記羽根２２によりすくい上げて落下しながら水と洗剤の作用により汚れが落ちる。
【０００６】
このような洗濯行程を終えると、前記タブ８内の汚れた水は前記排水ポンプ４６及び排水流路４４を通じて前記洗濯機の外部に排水される。
次いで、前記洗濯機では、洗濯物ｍに残留する泡などを除去するためのすすぎ行程が数回も行われる。つまり、前記給水装置４２を通じて清浄な水がタブ８内に供給され、前記モータ１４が駆動されてドラム２０が回転すると、前記ドラム２０内に受容された洗濯物は前記羽根２２によりすくい上げられて水面に落下しながら泡などが落ちるし、泡などを含む汚れた水は前記排水ポンプ４６及び排水流路４４を通じて前記洗濯機の外部に排出される。
【０００７】
このような数回のすすぎ行程が終わった後、前記洗濯機は洗濯物ｍ中の水気を取るために脱水行程を行う。
つまり、前記モータ１４が前記ドラム２０を高速に回転させると、洗濯物ｍ中の水気は遠心力により脱水されて前記ドラム２０の孔２４を通じてタブ８に溜まり、前記排水ポンプ４６及び排水流路４４を通じて前記洗濯機の外部に排水される。
しかし、かかる従来のドラム式洗濯機は、洗濯、すすぎ、脱水行程の後にドラム２０内で洗濯物を乾燥するためには、別途の乾燥流路やヒーターを備えなければならなく、また、脱水行程以外の別途の乾燥行程が必要なので、洗濯物ｍの乾燥に多くの費用及び時間がかかるという問題点があった。
【発明の開示】
【発明が解決しようとする課題】
【０００８】
本発明は、上記の従来の技術の問題点に鑑みてなされたものであり、その目的は、脱水行程時に外部の空気をドラム内に流入させて洗濯物が乾燥されるように構成することによって別途の乾燥流路やヒーターを備えなくとも少量の洗濯物を簡便に乾燥できるようにした洗濯機を提供することにある。
【課題を解決するための手段】
【０００９】
上記の目的を達成するために、本発明の洗濯機は、洗濯物出入口が形成された外部ケースと；前記外部ケースの内部に緩衝可能に支持されたタブと；前記タブの内部に回転可能に配置されたドラムと；前記ドラムを回転させる駆動手段と；前記外部ケースに取り付けられて前記洗濯物出入口を開閉し、前記ドラム内に外部空気が吸入されるように空気吸入口が形成されたドアと；を含むことを特徴とする。
前記ドアは、前記空気吸入口が複数個形成されることが好ましい。
好ましくは、前記ドアの空気吸入口には吸入される空気を加熱するヒーティング手段が設けられる。
【００１０】
また、前記ドアには前記空気吸入口を開閉する開閉手段が設けられると好ましい。
本発明の一実施例によれば、前記開閉手段は前記空気吸入口を遮る遮蔽栓から構成される。
本発明の他の実施例によれば、前記開閉手段は、前記空気吸入口と連通する連通孔が形成され、前記ドアの一側に回転可能に装着される回転板から構成される。
【００１１】
ここで、前記回転板は、前記ドアに係合されるように係止部が設けられる。
本発明のさらに他の実施例によれば、前記開閉手段は、前記空気吸入口と連通する連通孔が形成され、前記ドアの一側に回転可能に装着される回転板から構成され、前記回転板を回転させる回転駆動手段をさらに含めて構成される。
前記回転駆動手段は、前記回転板の外周面に形成されたギア歯に噛合って前記回転板を回転させる駆動ギアと、前記駆動ギアを回転させるモータとから構成される。
【発明の効果】
【００１２】
本発明の洗濯機は、ドアに外部空気が吸入される空気吸入口が形成されているため、脱水行程に際して外部の空気が空気吸入口を通じて吸入されて洗濯物の乾燥を助け、洗濯物の乾燥性能を高めることができる。
ここで、前記ドアには空気吸入口が複数個形成されるので、より多くの外部空気を吸入し、より迅速に洗濯物を乾燥させることができる。
また、本発明の洗濯機は、ドアの空気吸入口を開閉する開閉手段をさらに含むので、洗濯及びすすぎ行程時に水や泡が洗濯機の外部に流出されるのを防止できる。
【００１３】
ここで、前記開閉手段は、前記空気吸入口を遮る弾性材質の遮蔽栓で構成され、前記遮蔽栓には前記空気吸入口に嵌められて係合される係止部が形成されるので、空気吸入口の開閉が迅速で簡便にできる効果がある。
前記開閉手段を、前記ドアの一面に回転可能に装着され、前記空気吸入口と連通する連通孔が形成された回転板から構成すると、前記回転板を回すだけでドアの空気吸入口を迅速で簡便に開閉できる。
【００１４】
また、前記回転板の一側には取っ手が形成されるので、使い勝手が便利である。
また、前記回転板をモータを使って回転させながら空気吸入口を開閉するように構成すると、ドアの空気吸入口を自動で開閉できるので、便利である。
また、本発明の洗濯機は、タブ内の水または空気を洗濯機外に排出するように前記タブと連結された排水／排気手段が備えられるので、その吸入及び排出が容易となる。
本発明の洗濯機は、前記ドアの空気吸入口内にヒーティング手段が設置されるので、洗濯物の乾燥能力をさらに向上させることができる。
【発明を実施するための最良の形態】
【００１５】
以下、添付図面を参照しつつ本発明に係る洗濯機の好ましい実施例を説明する。
図１ないし図３は本発明の第１実施例によるドラム式洗濯機を示す図であって、図１は一部分解斜視図、図２は洗濯またはすすぎ行程時の縦断面図、図３は脱水行程時の縦断面図である。
【００１６】
本発明の第１実施例によるドラム式洗濯機は、図１ないし図３に示すように、洗濯物出入口５１が形成された外部ケース５２と、該外部ケース５２の内部に緩衝可能に支持されたタブ６０と、前記タブ６０の内部に回転可能に配設されたドラム７０と、前記ドラム７０を回転させるモータ８０と、前記外部ケース５２に開閉可能に取り付けられて前記洗濯物出入口５１を開閉し、外部空気Ａが吸入されるように空気吸入口９２が形成されたドア９０と、を含めて構成される。
【００１７】
前記タブ６０は、バネ６２またはダンパー６３により前記外部ケース５２に垂れ下がる形で支設され、前記外部ケース５２の洗濯物出入口５１の裏側に洗濯物出入口６１が形成される。
また、前記タブ６０の上側には給水ホース６５と給水バルブ６６と洗剤投入ケース６７と連結ホース６８が配設され、これらは水または洗剤が供給される通路を形成する。
【００１８】
すなわち、前記給水ホース６５は一端が蛇口に連結され、他端が前記洗剤投入ケース６７に連結されてドラム式洗濯機内への水の供給ができるようにし、前記給水バルブ６６は、前記給水ホース６５上に設けられて給水を調節し、前記洗剤投入ケース６７は、前記給水ホース６５を介して水が供給され、内部には洗剤が収納され、前記連結ホース６８は、一端が前記洗剤投入ケース６７に連結され、他端が前記タブ６０に連結されて洗剤投入ケース６７から排出する洗剤または水をタブ６０内に流入させる。
【００１９】
前記ドラム７０は、前記外部ケース５２の洗濯物出入口５１の裏側に洗濯物出入口７１が形成された円筒形で構成され、周面に洗濯水が通過する孔７４が複数個形成され、内側面には洗濯物をすくい上げて落下させる羽根７６が取り付けられる。
前記モータ８０は、前記タブ６０の背面に取り付けられ、回転軸が前記タブ６０の背面を貫いて前記ドラム７０の回転中心に連結される。
前記ドア９０は、前記ドラム７０の内部が目視できるような透明窓９４と、該透明窓９４外周のドアフレーム９６とから構成される。前記ドアフレーム９６の一側には、前記外部ケース５２の洗濯物出入口５１の一側に設けられたヒンジ５２ｂと結合される。
【００２０】
前記空気吸入口９２は、前記ドア９０に複数個が形成されることが好ましい。これら空気吸入口９２は前記ドアの透明窓９４に形成してもいいが、前記ドアフレーム９６に形成することがより好ましい。
前記ドア９０には、前記空気吸入口９２を開閉する開閉手段が備えられる。この開閉手段は前記空気吸入口９２を遮る遮蔽栓１００で構成される。
前記遮蔽栓１００は、ゴム材質などの弾性材質からなることが好ましく、前記空気吸入口９２と等しいか大きく形成され、前記空気吸入口９２に嵌められるように係止部１０２が両側に上下または左右に突設される。
【００２１】
このように空気吸入口９２が形成された前記ドラム式洗濯機は、前記ドア９０の空気吸入口９２を通じて吸入される空気Ａの乾燥能力を向上させるためのヒーティング手段１１０が備えられる。該ヒーティング手段１１０は前記ドア９０の空気吸入口９２の内部に設置すると好ましい。
前記ヒーティング手段９２は、脱水行程に際して電源が印加されて発熱される発熱体と、該発熱体の外側を取り囲んで発熱体の発熱とともに加熱されるともに、水による発熱体の短絡を防止する防水ハウジングとから構成されることが好ましい。
【００２２】
一方、前記タブ６０の下側には前記タブ６０内の水または空気Ａを洗濯機の外部に排出させるために前記タブ６０と連結された排水／排気手段が配設される。
前記排水／排気手段は、前記タブ６０の下側と連結されて洗濯水や空気Ａを外部に排出する排水／排気ホース１２２と、該排水／排気ホース１２２と連結された排水／排気ポンプ１２６とから構成される。
参照番号１２８は前記タブ６０の洗濯物出入口６１と外部ケース５２の洗濯物出入口５１との間に設けられたガスケットである。
【００２３】
次に、上記のように構成された本発明の第１実施例によるドラム式洗濯機の動作を説明する。
まず、前記ドラム７０の内部に洗濯物ｍを投入した後、前記ドア９０の空気吸入口９２を遮蔽栓１００で遮ると共にドア９０を閉じ、ドラム式洗濯機を駆動すると、前記タブ６０の内側底面には水と洗剤が溜まり、この水と洗剤に前記ドラム７０が浸りながら前記ドラム７０内の洗濯物も洗剤の溶解された水に浸かることになる。
【００２４】
その後、前記モータ８０が駆動されて前記ドラム７０が回転すると、前記ドラム７０内に受容された洗濯物は前記羽根７６によりすくい上げられて水面に落下しながら水と洗剤の作用により汚れが落ちる。
この時、前記タブ６０中の水または洗剤の一部が前記ガスケット１２８の内周面や前記ドア９０の内側面まで飛び跳ねることもあるが、前記遮蔽栓１００が前記ドア９０の空気吸入口９２を遮っているので、水または洗剤の外部への流出が防止される。
【００２５】
一方、上記の洗濯行程が終わった後、前記タブ６０内の汚れた水は前記排水／排気ホース１２２及び排水／排気ポンプ１２６を通じてドラム式洗濯機の外部に排出される。
そして、前記ドラム式洗濯機は、洗濯物ｍに残留する泡を洗い落とすためのすすぎ行程を数回行う。すなわち、清浄な水がタブ６０内に供給され、前記モータ８０が駆動されてドラム７０が回転すると、前記ドラム７０内に受容された洗濯物は前記羽根７６によりすくい上げて落下しながら泡が落ち、この泡などで汚れた水は、前記排水／排気ホース１２２及び排水／排気ポンプ１２６を通じてドラム式洗濯機の外部に排出される。
【００２６】
このようなすすぎ行程中にもまた、泡または汚れた水の一部が前記ガスケット１２８の内周面や前記ドア９０の内側面まで飛び跳ねることがあるが、この泡または汚れた水は前記遮蔽栓１００により遮られるので、ドラム式洗濯機の外部への流出が防止される。
このような数回のすすぎ行程の後、洗濯物ｍの水気を取るための脱水行程が行われる。
まず、前記モータ８０が前記ドラム７０を高速に回転させると、洗濯物ｍ中の水気は遠心力により取れながら前記ドラム７０の孔７４を通じてタブ６０に溜まり、前記排水／排気ホース１２２及び排水／排気ポンプ１２６を通じてドラム式洗濯機の外部に排出される。
【００２７】
ここで、脱水行程前または脱水行程途中に前記遮蔽栓１００を前記空気吸入口９２から外すと、ドラム式洗濯機の外部空気Ａは前記空気吸入口９２を通じてドラム式洗濯機内に吸入され、吸入された空気は前記ガスケット１２８の内部とタブ６０及びドラム７０の洗濯物出入口６１、７１を通って前記洗濯物ｍに当たり洗濯物ｍの乾燥を助ける。
また、前記ヒーティング手段１１０は、脱水行程に際して加熱されて前記空気吸入口９２から吸入される空気を乾燥・加熱させ、このように乾燥・加熱された空気により前記洗濯物ｍはさらに有効に乾燥される。
【００２８】
一方、前記洗濯物ｍの乾燥を助けた空気は、前記ドラム７０の孔７４を通じてタブ６０側に送られ、前記排水／排気ホース１２２及び排水／排気ポンプ１２６を通じて洗濯機外に排気される。
図４ないし図６は、本発明の第２実施例によるドラム式洗濯機を示す図であって、図４は一部分解斜視図、図５は洗濯またはすすぎ行程時の縦断面図、図６は脱水行程時の縦断面図である。
【００２９】
本発明の第２実施例によるドラム式洗濯機は、図４ないし図６に示すように、ドア９０の空気吸入口９２を開閉する開閉手段以外の構成は、前述した本発明の第１実施例の構成と同一なので、同一の参照番号を共通使用し、それに対する詳細な説明は省略するものとする。
第２実施例のドラム式洗濯機は、前記ドア９０の空気吸入口９２を開閉する開閉手段が、ドア９０の前面に回転可能に装着される回転板１５０から構成され、前記回転板１５０には前記空気吸入口９２と連通する連通孔１５２が形成される。
【００３０】
ここで、前記回転板１５０は、その連通孔１５２が前記ドア９０の空気吸入口９２と同じ大きさに形成されることが好ましく、前記ドア９０のドアフレーム９６に回転可能に係合されると好ましい。
すなわち、前記回転板１５０は、前記ドアフレーム９６の周面に係合される多数の係止突起１５４が裏側に設けられる。したがって、前記回転板１５０は前記ドアフレーム９６の前面に位置した状態で前記係止突起１５４が前記ドアフレーム９６の周面に係合されるので、前記回転板１５０が前記ドアフレーム９６の前面から離脱されることなく回転可能に装着されるのである。
【００３１】
また、前記回転板１５０は、脱水行程前または脱水行程途中で使用者が任意に回せるようになっている。したがって、前記回転板１５０の一側には手でつかんで容易に回せるように取っ手１５８が凹状または凸状に形成されると好ましい。
このような本発明の第２実施例によるドラム式洗濯機では、前記回転板１５０をドア９０に取り付けた状態で回転させることによって前記ドア９０の空気吸入口９２を開放または密閉させることができる。
その他の作動は前述した本発明の第１実施例と同一なので、詳細な説明は省略する。
【００３２】
図７は、本発明の第３実施例によるドラム式洗濯機の要部拡大断面図である。
本発明の第３実施例によるドラム式洗濯機は、図７に示すように、前述した本発明の第２実施例の構成に、前記回転板１５０を自動で回転させる回転駆動手段２００を加えて構成したものである。
【００３３】
前記回転駆動手段２００は、前記回転板１５０を所定角度だけ回転させるように前記回転板１５０の外周面に形成されたギア歯１５９に噛合う駆動ギア２０２と、脱水行程時には前記ドア９０の空気吸入口９２と前記回転板１５０の連通孔１５２が連通するようにし、脱水行程以外の時には前記ドア９０の空気吸入口９２が前記回転板１５０の連通孔１５２以外の部分により遮られるように前記駆動ギア２０２を回転させるモータ２０４とから構成される。
【００３４】
このような本発明の第３実施例によるドラム式洗濯機では、脱水行程が始まると前記回転板１５０が自動で回転されて回転板１５０の連通孔１５２とドア９０の空気吸入口９２が連通されながらドラム内部に外部空気Ａが吸入され、この吸入された空気Ａにより洗濯物がより迅速に乾燥される。
【図面の簡単な説明】
【００３５】
【図１】本発明の第１実施例による洗濯機の一部分解斜視図である。
【図２】本発明の第１実施例による洗濯機における洗濯またはすすぎ行程時の縦断面図である。
【図３】本発明の第１実施例による洗濯機における脱水行程時の縦断面図である。
【図４】本発明の第２実施例による洗濯機の一部分解斜視図である。
【図５】本発明の第２実施例による洗濯機における洗濯またはすすぎ行程時の縦断面図である。
【図６】本発明の第２実施例による洗濯機における脱水行程時の縦断面図である。
【図７】本発明の第３実施例による洗濯機の要部拡大断面図である。
【図８】従来の技術に係る洗濯機を示す斜視図である。
【図９】従来の技術に係る洗濯機を示す縦断面図である。
【符号の説明】
【００３６】
５１…洗濯物出入口
５２…外部ケース
６０…タブ
６１…洗濯物出入口
７０…ドラム
７１…洗濯物出入口
７４…孔
７６…羽根
８０…モータ
９０…ドア
９２…空気吸入口
９４…透明窓
９６…ドアフレーム
１００…遮蔽栓
１０２…係止部
１１０…ヒーティング手段
Ａ…空気
【図１】
2004188205.tif 000003
【図２】
2004188205.tif 000004
【図３】
2004188205.tif 000005
【図４】
2004188205.tif 000006
【図５】
2004188205.tif 000007
【図６】
2004188205.tif 000008
【図７】
2004188205.tif 000009
【図８】
2004188205.tif 000010
【図９】
2004188205.tif 000011